(57)【要約】【課題】吹出口から吹き出される乾燥風に乗せて例えば美容機能を有する機能成分を乾燥対象へと的確に送給できるドライヤーを提供する。【解決手段】本発明のドライヤーは、中空筒状の導風路９を有する本体ケース１と、導風路のそれぞれの端部に設けられる吸込口１０および吹出口１１と、導風路９内に設けられる送風ファン３とを備える。導風路９に、機能成分を含む機能液が含浸保持された連続気孔型の多孔質体からなる機能成分放出体８０を設ける。こうしたドライヤーによれば、機能成分放出体８０が乾燥風に曝されることで気化された機能液を、吹出口１１から吹き出される分散し難い１つの収束した乾燥風に乗せて乾燥対象へと的確に送給できる。【選択図】図１
2020054494.tif 000002
【特許請求の範囲】
【請求項１】
中空筒状の導風路（９）を有する本体ケース（１）と、
導風路（９）の一端に設けられる吸込口（１０）と、
導風路（９）の他端に設けられる吹出口（１１）と、
導風路（９）内に設けられて、吸込口（１０）から吹出口（１１）に向う乾燥風を生起させる送風ファン（３）とを備えており、
導風路（９）に、機能成分を含む機能液が含浸保持された連続気孔型の多孔質体からなる機能成分放出体（８０）が設けられていることを特徴とするドライヤー。
【請求項２】
導風路（９）に、該導風路（９）における他の風路領域よりも風路流速が大きくなるように構成された領域である増速風路（８５）が設けられており、
増速風路（８５）に機能成分放出体（８０）が配設されている請求項１に記載のドライヤー。
【請求項３】
導風路（９）に、本体ケース（１）の内面から離間した状態で風路内構造体（４）が配設され、該風路内構造体（４）と本体ケース（１）とで環状風路（３５）が形成されており、
前記環状風路（３５）に機能成分放出体（８０）が配設されている請求項１または２に記載のドライヤー。
【請求項４】
送風ファン（３）よりも下流側の導風路（９）に、風路内構造体（４）が配設されており、
風路内構造体（４）が、乾燥対象に熱を付与する熱付与構造（４Ａ）で構成されている請求項３に記載のドライヤー。
【請求項５】
導風路（９）に風路内構造体（４）を配設することで増速風路（８５）が形成されており、
風路内構造体（４）が、導風路（９）の風路断面積を小さくする増速構造（４Ｂ）で構成されている請求項２に記載のドライヤー。
【請求項６】
送風ファン（３）よりも下流側の導風路（９）に増速構造（４Ｂ）が設けられており、
該増速構造（４Ｂ）が、導風路（９）の上流側から下流側に行くに従って内周面形状が窄まるリング状に形成された増速リング（１１５）で構成されている請求項５に記載のドライヤー。
【請求項７】
送風ファン（３）よりも上流側の導風路（９）に、同ファン（３）に隣接する状態で増速構造（４Ｂ）が設けられており、
該増速構造（４Ｂ）が、導風路（９）の上流側から下流側に行くに従って内周面形状が窄まるリング状に形成された増速リング（１１５）で構成されている請求項５に記載のドライヤー。
【請求項８】
増速リング（１１５）が、機能成分放出体（８０）で構成されている請求項６または７に記載のドライヤー。
【請求項９】
熱付与構造（４Ａ）と本体ケース（１）とで円環風洞状の環状風路（３５）が形成されており、
該環状風路（３５）に、リング状に形成された機能成分放出体（８０）が設けられている請求項４に記載のドライヤー。
【請求項１０】
リング状の機能成分放出体（８０）に、環状風路（３５）の上流側から下流側へ向かう乾燥風の通過を許す通風部（８４）が形成されている請求項９に記載のドライヤー。
【請求項１１】
機能成分放出体（８０）は、リング部（８２）と、リング部（８２）から外向きおよび／または内向きに突設される放射壁（８３）とを備えており、
リング部（８２）と放射壁（８３）とで囲まれる領域が通風部（８４）とされている請求項１０に記載のドライヤー。
【請求項１２】
機能成分放出体（８０）は、肉厚が一定の円リング状に形成されており、
通風部（８４）が、機能成分放出体（８０）を貫通するように形成される、導風路（９）の上流側の内径寸法が、導風路（９）の下流側の内径寸法よりも大きな、少なくとも１つの先窄まり状の通風孔（１２５）で構成されている請求項１０に記載のドライヤー。
【請求項１３】
機能成分放出体（８０）は、複数の分割リング体（１２８）で構成された断続リング状に形成されており、
通風部（８４）が、隣り合う分割リング体（１２８）の間に形成される、導風路（９）の上流側の入口開口の面積が、導風路（９）の下流側の出口開口の面積よりも大きな、先窄まり状の通風スリット（１２９）で構成されている請求項１０に記載のドライヤー。
【請求項１４】
機能成分放出体（８０）は、導風路（９）の上流側の肉厚が、導風路（９）の下流側の肉厚よりも小さな丸筒状に形成され、その内周面および／または外周面がテーパー面とされており、
通風部（８４）が、機能成分放出体（８０）と風路内構造体（４）および／または本体ケース（１）との間に周回状に形成される、先窄まり状の絞り風路（１３２）で構成されている請求項１０に記載のドライヤー。
【請求項１５】
熱付与構造（４Ａ）は、赤外線を含む光を放射する発光体（２８）と、発光体（２８）が放射する前記光を吹出口（１１）側に向かって反射するリフレクタ（２９）とを含み、
リフレクタ（２９）の外面形状と本体ケース（１）の内面形状とで、導風路（９）の上流側から下流側に行くに従って窄まる、円環風洞状の環状風路（３５）が形成されている請求項９または１０に記載のドライヤー。
【請求項１６】
導風路（９）の中心軸線方向におけるリフレクタ（２９）の中途部に、該リフレクタ（２９）の外面の表面積を拡大する、内凹み形成された周回状の拡積凹部（３７ｃ）が設けられており、
機能成分放出体（８０）が、拡積凹部（３７ｃ）に正対する状態で配設されている請求項１５に記載のドライヤー。
【請求項１７】
熱付与構造（４Ａ）は、電熱線からなるヒーター（１３６）と、該ヒーター（１３６）をらせん状に支持する複数のヒーター支持板（１３７）と、ヒーター（１３６）の内側に配置されてヒーター支持板（１３７）が外面に固定される円筒状の支持ケース（１３８）とを含み、
環状風路（３５）が、支持ケース（１３８）と本体ケース（１）とで形成されている請求項４に記載のドライヤー。
【請求項１８】
ヒーター（１３６）より下流側の環状風路（３５）に、機能成分放出体（８０）が配設されている請求項１７に記載のドライヤー。
【請求項１９】
熱付与構造（４Ａ）は、赤外線を含む光を放射する発光体（２８）と、発光体（２８）が放射する前記光を吹出口（１１）側に向かって反射するリフレクタ（２９）とを含み、
発光体（２８）および／またはリフレクタ（２９）が、環状風路（３５）に設けられた機能成分放出体（８０）で支持されている請求項４に記載のドライヤー。
【請求項２０】
送風ファン（３）はファンモータ（２）で回転駆動されており、
ファンモータ（２）が、環状風路（３５）に設けられた機能成分放出体（８０）で支持されている請求項１９に記載のドライヤー。
【発明の詳細な説明】
【技術分野】
【０００１】
本発明は、乾燥対象に向かう乾燥風に乗せて機能成分を送給するドライヤーに関する。
【背景技術】
【０００２】
この種のドライヤーは、例えば特許文献１に公知である。特許文献１のヘアドライヤでは、本体ケースが備える吸入口と吹出口の間に風通路が形成されている。風通路は、吸入口と第１吹出口の間に形成された第１風通路と、吸入口と第２吹出口の間に形成された第２風通路とからなる。本体ケース内において第１風通路と第２風通路とは区画壁で区画されており、風通路の上流側に配置されたファンで生起された乾燥風の大部分は、第２風通路よりも風路断面積の大きな第１風通路を介して第１吹出口から吹き出される。第２風通路にはミスト発生装置と美容成分収容部材などが配置されている。第２風通路を介して第２吹出口から吹き出される乾燥風には、ミスト発生装置で生成されたミストと、美容成分収容部材に収容された美容成分（機能成分）の結合体が含まれており、当該結合体は乾燥風に乗せて毛髪や頭皮（乾燥対象）に送給される。
【先行技術文献】
【特許文献】
【０００３】
【特許文献１】特開２０１５−１９８５４号公報
【発明の概要】
【発明が解決しようとする課題】
【０００４】
特許文献１のヘアドライヤでは、第２風通路は第１風通路に比べて流路断面が小さく、さらにミスト発生装置や美容成分収容部材などが配置されている分、第１風通路よりも通気抵抗が大きくなるのを避けられず、両風通路に同一の流速の乾燥風が供給された場合でも、第２吹出口から吹き出される乾燥風の流速は、第１吹出口から吹き出される乾燥風の流速より小さくなる。そのため、第２風通路から吹き出されたミストと美容成分の結合体が含まれた乾燥風は、その勢いが弱いため中途で分散しやすく、乾燥対象である毛髪や頭皮に対して前記結合体を的確に送給できない可能性がある。
【０００５】
本発明は、吹出口から吹き出される乾燥風に乗せて例えば美容機能を有する機能成分を乾燥対象へと的確に送給できるドライヤーを提供することを目的とする。
【課題を解決するための手段】
【０００６】
本発明のドライヤーは、中空筒状の導風路９を有する本体ケース１と、導風路９の一端に設けられる吸込口１０と、導風路９の他端に設けられる吹出口１１と、導風路９内に設けられて、吸込口１０から吹出口１１に向う乾燥風を生起させる送風ファン３とを備えている。そして、前記導風路９に、機能成分を含む機能液が含浸保持された連続気孔型の多孔質体からなる機能成分放出体８０が設けられていることを特徴とする。
【０００７】
導風路９に、該導風路９における他の風路領域よりも風路流速が大きくなるように構成された領域である増速風路８５が設けられており、増速風路８５に機能成分放出体８０を配設する。
【０００８】
導風路９に、本体ケース１の内面から離間した状態で風路内構造体４が配設され、該風路内構造体４と本体ケース１とで環状風路３５が形成されており、前記環状風路３５に機能成分放出体８０を配設する。なお、ここでいう「環状風路」の環状とは、円環状、多角環状を含む概念である。
【０００９】
送風ファン３よりも下流側の導風路９に、風路内構造体４が配設されており、風路内構造体４は、乾燥対象に熱を付与する熱付与構造４Ａで構成する。
【００１０】
導風路９に風路内構造体４を配設することで増速風路８５が形成されており、風路内構造体４は、導風路９の風路断面積を小さくする増速構造４Ｂで構成する。
【００１１】
送風ファン３よりも下流側の導風路９に増速構造４Ｂが設けられており、該増速構造４Ｂは、導風路９の上流側から下流側に行くに従って内周面形状が窄まるリング状に形成された増速リング１１５で構成する。
【００１２】
送風ファン３よりも上流側の導風路９に、同ファン３に隣接する状態で増速構造４Ｂが設けられており、該増速構造４Ｂは、導風路９の上流側から下流側に行くに従って内周面形状が窄まるリング状に形成された増速リング１１５で構成する。
【００１３】
上記増速リング１１５は、機能成分放出体８０で構成する。
【００１４】
熱付与構造４Ａと本体ケース１とで円環風洞状の環状風路３５が形成されており、該環状風路３５に、リング状に形成された機能成分放出体８０を設ける。なお、ここでいう「リング状」とは連続ないし断続するリング状を含む概念である。
【００１５】
リング状の機能成分放出体８０に、環状風路３５の上流側から下流側へ向かう乾燥風の通過を許す通風部８４が形成されている。
【００１６】
機能成分放出体８０は、リング部８２と、リング部８２から外向きおよび／または内向きに突設される放射壁８３とを備えており、リング部８２と放射壁８３とで囲まれる領域を通風部８４とする。
【００１７】
機能成分放出体８０は、肉厚が一定の円リング状に形成されており、通風部８４は、機能成分放出体８０を貫通するように形成される、導風路９の上流側の内径寸法が、導風路９の下流側の内径寸法よりも大きな、少なくとも１つの先窄まり状の通風孔１２５で構成する。
【００１８】
機能成分放出体８０は、複数の分割リング体１２８で構成された断続リング状に形成されており、通風部８４は、隣り合う分割リング体１２８の間に形成される、導風路９の上流側の入口開口の面積が、導風路９の下流側の出口開口の面積よりも大きな、先窄まり状の通風スリット１２９で構成する。
【００１９】
機能成分放出体８０は、導風路９の上流側の肉厚が、導風路９の下流側の肉厚よりも小さな丸筒状に形成され、その内周面および／または外周面がテーパー面とされており、通風部８４は、機能成分放出体８０と風路内構造体４および／または本体ケース１との間に周回状に形成される、先窄まり状の絞り風路１３２で構成する。
【００２０】
熱付与構造４Ａは、赤外線を含む光を放射する発光体２８と、発光体２８が放射する前記光を吹出口１１側に向かって反射するリフレクタ２９とを含み、リフレクタ２９の外面形状と本体ケース１の内面形状とで、導風路９の上流側から下流側に行くに従って窄まる、円環風洞状の環状風路３５を形成する。
【００２１】
導風路９の中心軸線方向におけるリフレクタ２９の中途部に、該リフレクタ２９の外面の表面積を拡大する、内凹み形成された周回状の拡積凹部３７ｃが設けられている。機能成分放出体８０は拡積凹部３７ｃに正対する状態で配設されている。
【００２２】
熱付与構造４Ａは、電熱線からなるヒーター１３６と、該ヒーター１３６をらせん状に支持する複数のヒーター支持板１３７と、ヒーター１３６の内側に配置されてヒーター支持板１３７が外面に固定される円筒状の支持ケース１３８とを含む。環状風路３５は、支持ケース１３８と本体ケース１とで形成する。
【００２３】
ヒーター１３６より下流側の環状風路３５に、機能成分放出体８０が配設されている。
【００２４】
熱付与構造４Ａは、赤外線を含む光を放射する発光体２８と、発光体２８が放射する前記光を吹出口１１側に向かって反射するリフレクタ２９とを含む。発光体２８および／またはリフレクタ２９は、環状風路３５に設けた機能成分放出体８０で支持する。
【００２５】
送風ファン３はファンモータ２で回転駆動されており、ファンモータ２は、環状風路３５に設けた機能成分放出体８０で支持する。
【発明の効果】
【００２６】
本発明のドライヤーにおいては、本体ケース１が有する中空筒状の導風路９の一対の端部をそれぞれ吸込口１０および吹出口１１として構成し、該導風路９内に吸込口１０から吹出口１１に向う乾燥風を生起させる送風ファン３を設けたので、吸込口１０から吸い込まれた空気の全部が吹出口１１から吹き出されるので、乾燥風を分散し難い１つの収束した流れとして乾燥対象へと送給できる。そのうえで、本発明においては、導風路９に、機能成分を含む機能液（以下、単に「機能液」と記す。）が含浸保持された連続気孔型の多孔質体からなる機能成分放出体８０を設けたので、同放出体８０が乾燥風に曝されることで気化された機能液を、分散し難い乾燥風に含ませることができる。従って、吹出口１１から吹き出される乾燥風に乗せて機能成分（気化した機能液）を乾燥対象へと的確に送給できる。
【００２７】
導風路９に、当該導風路９における他の風路領域よりも風路流速が大きくなるように構成された領域である増速風路８５を設け、該増速風路８５に機能成分放出体８０を配設した。このように、増速風路８５に機能成分放出体８０を配設すると、流速の速い乾燥風に機能成分放出体８０を曝して、同放出体８０に含浸された機能液を効率よく気化させて、乾燥風に対して機能成分を充分に放出させることができる。
【００２８】
導風路９に、本体ケース１の内面から離間した状態で風路内構造体４を配設し、該風路内構造体４と本体ケース１とで環状風路３５を形成した。この環状風路３５に機能成分放出体８０を配設した。これによれば、環状風路３５は、風路内構造体４の分だけ他の導風路９部分よりも風路断面積が小さくなるので、当該環状風路３５の風路流速を導風路９における他の風路領域よりも大きくすることができ、環状風路３５を増速風路８５として機能させることができる。環状風路３５の乾燥風の流れは速く、この流速の速い乾燥風に機能成分放出体８０を曝して、同放出体８０に含浸された機能液を効率よく気化させることができる。
【００２９】
送風ファン３よりも下流側の導風路９に、乾燥対象に熱を付与する熱付与構造４Ａで構成した風路内構造体４を配設した。これによれば、機能成分放出体８０を熱付与構造４Ａから放射される熱で温めて、同放出体８０に含浸された機能液をより効率よく気化させることができる。また、ドライヤーに不可欠な熱付与構造４Ａが増速風路８５として機能する環状風路３５を構成する部材を兼ねるので、ドライヤーの構造を簡素化できる。
【００３０】
導風路９に風路内構造体４を配設することで増速風路８５を形成し、風路内構造体４を、導風路９の風路断面積を小さくする増速構造４Ｂで構成した。これによれば、導風路９の風路断面積を小さくして乾燥風を増速する専用部材からなる増速構造４Ｂで増速風路８５を形成するので、増速風路８５の乾燥風を、例えば機能成分放出体８０に含浸された機能液が最も効率よく気化する流速に適正に設定できる。また、導風路９に増速構造４Ｂを配設するだけで増速風路８５を形成できるので、ドライヤーの構造を簡素化できる。
【００３１】
送風ファン３よりも下流側の導風路９に増速構造４Ｂを設け、該増速構造４Ｂを、導風路９の上流側から下流側に行くに従って内周面形状が窄まるリング状に形成された増速リング１１５で構成した。こうした増速構造４Ｂによれば、増速リング１１５の内部を通過する乾燥風を、簡単な構成でしかも圧力損失を抑えつつ増速することができる。
【００３２】
送風ファン３よりも上流側の導風路９に、同ファン３に隣接する状態で増速構造４Ｂを設け、該増速構造４Ｂを、導風路９の上流側から下流側に行くに従って内周面形状が窄まるリング状に形成された増速リング１１５で構成した。こうした増速構造４Ｂによれば、吸込口１０から導風路９に吸い込まれた空気を整流し増速したのち、当該空気を送風ファン３で加圧送給することができる。これにより、増速リング１１５がない場合に比べて、送風ファン３で生起される乾燥風の流速を向上させることができ、吹出口１１から吹き出される乾燥風の直進性を向上できる。また、送風ファン３による加圧送給時に発生する騒音を低減することができる。
【００３３】
増速リング１１５を機能成分放出体８０で構成すると、増速風路８５に機能成分放出体８０を簡便に設けることができる。また、増速リング１１５が機能成分放出体８０を兼ねるので、導風路９の内部構造を簡素化できるので、ドライヤーの全体コストの低減を図ることができる。
【００３４】
熱付与構造４Ａと本体ケース１とで円環風洞状の環状風路３５を形成し、該環状風路３５に、リング状に形成された機能成分放出体８０を設けた。リング状に形成された機能成分放出体８０においては、体積が同一の円柱状の機能成分放出体に比べて、その表面積を大きくできる。そのうえで機能成分放出体８０を円環風洞状の環状風路３５に設けることにより、機能成分放出体８０と環状風路３５を流れる乾燥風との接触機会を増加させることができ、乾燥風に対して機能成分を的確に放出することができる。
【００３５】
リング状の機能成分放出体８０に、環状風路３５の上流側から下流側へ向かう乾燥風の通過を許す通風部８４を形成すると、機能成分放出体８０と環状風路３５を流れる乾燥風との接触機会をより増加させることができ、乾燥風に対して充分な量の機能成分を放出することができる。
【００３６】
機能成分放出体８０は、リング部８２と、リング部８２から外向きおよび／または内向きに突設される放射壁８３とを備え、通風部８４をリング部８２と放射壁８３とで囲まれる状態で形成した。こうした通風部８４によれば、簡単な構成で機能成分放出体８０の表面積を増大させ、機能成分放出体８０と乾燥風との接触機会をより増加させることができる。
【００３７】
機能成分放出体８０は、肉厚が一定の円リング状に形成し、通風部８４は、機能成分放出体８０を貫通するように形成される、導風路９の上流側の内径寸法が、導風路９の下流側の内径寸法よりも大きな、少なくとも１つの通風孔１２５で構成した。こうした先窄まり状の通風孔１２５からなる通風部８４によれば、通風部８４の入口側よりも出口側の風路流速を大きくでき、機能成分放出体８０における通風部８４の出口側部分で、機能液をより効率よく気化させることができる。また、圧力損失を抑えつつ通風部８４を通過する乾燥風を徐々に増速することができるので、吹出口１１から吹き出される乾燥風の流速が通風部８４における圧力損失に起因して小さくなるのを抑制できる。
【００３８】
機能成分放出体８０は、複数の分割リング体１２８で構成された断続リング状に形成し、通風部８４は、隣り合う分割リング体１２８の間に形成される、導風路９の上流側の入口開口の面積が、導風路９の下流側の出口開口の面積よりも大きな、先窄まり状の通風スリット１２９で構成した。こうした先窄まり状の通風スリット１２９からなる通風部８４によれば、通風部８４の入口側よりも出口側の風路流速を大きくでき、機能成分放出体８０における通風部８４の出口側部分で、機能液をより効率よく気化させることができる。また、圧力損失を抑えつつ通風部８４を通過する乾燥風を徐々に増速することができるので、吹出口１１から吹き出される乾燥風の流速が通風部８４における圧力損失に起因して小さくなるのを抑制できる。
【００３９】
機能成分放出体８０は、導風路９の上流側の肉厚を、導風路９の下流側の肉厚よりも小さな丸筒状に形成して、その内周面および／または外周面をテーパー面とし、通風部８４は、機能成分放出体８０と風路内構造体４および／または本体ケース１との間に周回状に形成される、先窄まり状の絞り風路１３２で構成した。このように、先窄まり状の絞り風路１３２からなる通風部８４によれば、通風部８４の入口側よりも出口側の風路流速を大きくでき、機能成分放出体８０における通風部８４の出口側部分で、機能液をより効率よく気化させることができる。また、圧力損失を抑えつつ通風部８４を通過する乾燥風を徐々に増速することができるので、吹出口１１から吹き出される乾燥風の流速が通風部８４における圧力損失に起因して小さくなるのを抑制できる。
【００４０】
熱付与構造４Ａは、赤外線を含む光を放射する発光体２８と、発光体２８が放射する前記光を吹出口１１側に向かって反射するリフレクタ２９とを含み、リフレクタ２９の外面形状と本体ケース１の内面形状とで、導風路９の上流側から下流側に行くに従って窄まる、円環風洞状の環状風路３５を形成した。これによれば、機能成分放出体８０を発光体２８で加熱されたリフレクタ２９から外向きに放射される熱で温めて機能液の気化を促進できるので、乾燥風に対してより多くの機能成分を放出できる。また、リフレクタ２９および本体ケース１の形状で窄まり円環風洞状の環状風路３５を形成するように構成したので、導風路９内の構造を簡素化しながら乾燥風を増速することができる。
【００４１】
導風路９の中心軸線方向におけるリフレクタ２９の中途部に、該リフレクタ２９の外面の表面積を拡大する、内凹み形成された周回状の拡積凹部３７ｃを設け、機能成分放出体８０を該拡積凹部３７ｃに正対する状態で配設した。これによれば、機能成分放出体８０の配設位置における風路断面積が必要以上に小さくなるのを拡積凹部３７ｃで緩和でき、機能成分放出体８０に起因する通気抵抗の増大を回避して、吹出口１１から吹き出される乾燥風の勢いが低下するのを防止できる。また、拡積凹部３７ｃにより拡大されたリフレクタ２９の外表面からより多くの熱が放射されるので、機能成分放出体８０を効果的に温めて機能液の気化をより促進できる。
【００４２】
風路内構造体４は熱付与構造４Ａからなり、該熱付与構造４Ａは、電熱線からなるヒーター１３６と、該ヒーター１３６をらせん状に支持する複数のヒーター支持板１３７と、ヒーター１３６の内側に配置されてヒーター支持板１３７が外面で支持される円筒状の支持ケース１３８とを含み、環状風路３５を支持ケース１３８と本体ケース１とで形成した。これによれば、支持ケース１３８と本体ケース１との構造を利用して、支持ケース１３８の外面と本体ケース１の内面との間に環状風路３５を形成できるので、導風路９内の構造を簡略化できる。
【００４３】
ヒーター１３６より下流側の環状風路３５に、機能成分放出体８０を配設すると、機能成分放出体８０をヒーター１３６で加温された乾燥風で温めて、機能液の気化を効果的に促進できる。
【００４４】
風路内構造体４は熱付与構造４Ａからなり、該熱付与構造４Ａは、赤外線を含む光を放射する発光体２８と、発光体２８が放射する前記光を吹出口１１側に向かって反射するリフレクタ２９とを含み、発光体２８および／またはリフレクタ２９を、環状風路３５に設けた機能成分放出体８０で支持した。これによれば、発光体２８およびリフレクタ２９などを導風路９内で支持するための専用の支持構造を省略して、導風路９内の構造を簡略化できる。
【００４５】
送風ファン３を回転駆動するファンモータ２は、環状風路３５に設けた機能成分放出体８０で支持した。これによれば、ファンモータ２を導風路９内で支持するための専用の支持構造を省略して、導風路９内の構造をより簡略化できる。
【図面の簡単な説明】
【００４６】
【図１】本発明の実施例１に係るドライヤーの要部を示す概略図である。
【図２】実施例１に係るドライヤーの縦断側面図である。
【図３】実施例１に係るドライヤーの導風路構造を示す縦断側面図である。
【図４】実施例１に係るドライヤーの導風路構造を示す横断平面図である。
【図５】実施例１に係るドライヤーのケース構造を示す分解側面図である。
【図６】実施例１に係るドライヤーのケース構造を示す分解斜視図である。
【図７】実施例１に係るドライヤーのリフレクタを示す分解斜視図である。
【図８】実施例１に係るドライヤーの発光構造を示す分解断面図である。
【図９】図３におけるＡ−Ａ線断面図である。
【図１０】図３におけるＣ−Ｃ線断面図である。
【図１１】図３におけるＢ−Ｂ線断面図である。
【図１２】実施例１に係るドライヤーの増速風路を示す縦断側面図である。
【図１３】本発明の実施例２に係るドライヤーの導風路構造を示す概略図である。
【図１４】図１３におけるＤ−Ｄ線断面図である。
【図１５】本発明の実施例３に係るドライヤーの導風路構造を示す概略図である。
【図１６】図１５におけるＥ−Ｅ線断面図である。
【図１７】本発明の実施例４に係るドライヤーの導風路構造を示す概略図である。
【図１８】図１７におけるＦ−Ｆ線断面図である。
【図１９】本発明の実施例５に係るドライヤーの導風路構造を示す概略図である。
【図２０】図１９におけるＧ−Ｇ線断面図である。
【図２１】本発明の実施例６に係るドライヤーの導風路構造を示す概略図である。
【図２２】本発明の実施例７に係るドライヤーの導風路構造を示す概略図である。
【図２３】本発明の実施例８に係るドライヤーの導風路構造を示す概略図である。
【図２４】本発明の実施例９に係るドライヤーの導風路構造を示す概略図である。
【図２５】本発明の実施例１０に係るドライヤーの導風路構造を示す概略図である。
【図２６】図２５におけるＨ−Ｈ線断面図である。
【図２７】本発明の実施例１１に係るドライヤーの導風路構造を示す縦断正面図である。
【図２８】図２７におけるＩ−Ｉ線断面図である。
【図２９】本発明の実施例１２に係るドライヤーの導風路構造を示す概略図である。
【図３０】本発明の実施例１３に係るドライヤーの導風路構造を示す概略図である。
【発明を実施するための形態】
【００４７】
（実施例１）  図１から図１２に、本発明に係るドライヤーをヘアードライヤーに適用した実施例１を示す。本実施例における前後、左右、上下とは、図２、および図６に示す交差矢印と、各矢印の近傍に表記した前後、左右、上下の表示に従う。図２および図３においてヘアードライヤーは、前後に長い中空筒状の本体ケース１の内部に、ファンモータ２で回転駆動される軸流型の送風ファン３と、風路内構造体４などを収容して構成される。風路内構造体４は、毛髪や頭皮（乾燥対象）に熱を付与する熱源ユニット（熱付与構造）４Ａで構成される。
【００４８】
本体ケース１は、左右に分割された一対の半割体７ａ・７ｂを接合して形成される風導筒７と、風導筒７が内嵌装着される外装筒８とを備えている。風導筒７の内面は先窄まりテーパー状に形成されて、送風ファン３で生起される乾燥風の導風路９になっており、導風路９の後端に空気の吸込口１０が設けられ、前端に空気の吹出口１１が設けられている。吹出口１１は吹出ケース５と補助吹出ケース６とで囲まれており、一体化した両ケース５・６は風導筒７の前部外面にバヨネット係合されている。上記のように実施例１では、風導筒７の内部が導風路９になっているが、風導筒７を備えていない場合には、外装筒８の内部が導風路９となる。また、風導筒７の内面、または外装筒８の内面に、断熱用のマイカや金属製の筒体が設けてあってもよい。
【００４９】
風導筒７の後部下面には、グリップ１２が一体に形成されており、その内部にメインスイッチ１３と、消灯スイッチ１４と、トランス１５などが配置されている。符号１６はメインスイッチ１３を切換えるスライドノブ、符号１７は消灯スイッチ１４を切換える押ボタンである。図３において、符号Ｐはヘアードライヤーの中心軸線を示し、当該中心軸線Ｐは導風路９の中心軸線と一致している。
【００５０】
送風ファン３は本体ケース１の後半部に配置されており、吸込口１０から吸い込んだ空気を送風ファン３で吹出口１１へ向かって加圧送給して、吸込口１０から吹出口１１に向う乾燥風を生起し、当該乾燥風は吹出口１１から吹き出される。風導筒７に固定したファンケース２０のホルダー部２１にはファンモータ２が固定されており、これらファンケース２０とホルダー部２１の間には、複数個の整流翼２６が形成されている。ホルダー部２１の前面には、ファンモータ２や後述するハロゲンランプ（発光体）２８、およびイオン放出構造の駆動状態を制御する制御部が搭載される制御基板２２が固定されている。先のメインスイッチ１３がオフ位置から弱運転位置に切換えられると、制御部はハロゲンランプ２８を低輝度状態で点灯し、送風ファン３を低速で駆動する。メインスイッチ１３が弱運転位置から強運転位置に切換えられると、制御部はハロゲンランプ２８を高輝度状態で点灯し、送風ファン３を高速で駆動する。イオン放出構造は、弱運転位置、および強運転位置のいずれの場合にも作動して、マイナスイオンを放出する。ハロゲンランプ２８が点灯している状態で、消灯スイッチ１４がオン操作されると、制御部はハロゲンランプ２８を一時的に消灯させる。
【００５１】
図２に示すように吸込口１０の外面は、パンチングメタル製の第１グリル２３と、多重リング状の第２グリル２４とで覆われている。また、吹出口１１の内面は第３グリル２５で覆われている。図５および図６に示すように、第２グリル２４と第３グリル２５は、半割体７ａ・７ｂで挟持固定されており、第１グリル２３は風導筒７の後部に着脱可能に装着されている。吹出口１１は外装筒８の前端に固定した吹出ケース５に囲まれており、乾燥風の吹出口と、ハロゲンランプ２８から放射される赤外光（赤外線（熱線））をユーザーの毛髪や頭皮へ向けて照射する照射口を兼ねている。吹出口１１は、ポリカーボネイト製の吹出ケース５と耐熱性に富むＰＰＳ樹脂製の補助吹出ケース６とを一体化して構成されており、吹出ケース５の後面に設けた係合脚１８を、風導筒７の前部外面の係合壁７ｃにバヨネット係合し、さらに吹出ケース５の下端を外装筒８からねじ込んだビス１９で締結することにより、風導筒７と一体化されている。
【００５２】
図４において熱源ユニット４Ａは、ハロゲンランプ（発光体）２８と、リフレクタ２９と、フィルタ３０を備えた１個のユニット部品からなる。ハロゲンランプ２８は、フィラメント（発光部）と不活性ガス及びハロゲンガスなどを封入した前後に長いバルブ３１と、バルブ３１が固定されるハウジング３２を備えており、ハウジング３２のプラグ３３をソケット３４に差込み装着することにより、ソケット３４で固定支持されている。前記フィラメントが、ハロゲンランプ２８が放射する光の光源部分であり、最も輝度の高い部分となる。ソケット３４は後述する光源台４５に締結固定されている。熱源ユニット４Ａは風導筒７（本体ケース１）の内面から離間した状態で配設されている。これにより、熱源ユニット４Ａと風導筒７とで円環風洞状の環状風路３５が形成されている。ハロゲンランプ２８を点灯すると、バルブ３１から可視光と赤外光とが放射される。フィルタ３０は、赤外光は透過するが可視光の透過を阻むように構成されており、これにより、ユーザーはハロゲンランプ２８の眩しさを感じることはない。なお、可視光の透過を阻むとは、完全に可視光を遮ることを意味するものではなく、可視光を減衰することを含む概念である。もちろん、可視光を完全に遮って赤外光のみが透過可能なものも含む。
【００５３】
リフレクタ２９は、前リフレクタ３７と後リフレクタ３８を接合して構成されている。前リフレクタ３７は、左右に分割形成された一対の半割体３７ａ・３７ｂを接合して構成されている（図７参照）。半割体３７ａ・３７ｂはアルミニウムなどの金属をプレス成型した成形品からなり、その内面は鏡面状に研磨されて反射面とされている。前リフレクタ３７の内面には、ハロゲンランプ２８から放射された光をフィルタ３０（吹出口１１側）へ向かって前向きに反射案内する第１反射面３９と、ハロゲンランプ２８から放射された光を後向きに反射案内する第２反射面４０とが設けられており、第２反射面４０は第１反射面３９に隣接する状態で形成されている。なお、半割体３７ａ・３７ｂの内面、すなわち第１反射面３９および第２反射面４０は、めっき処理により鏡面状の反射面とすることもできる。
【００５４】
ヘアードライヤー（導風路９）の中心軸線Ｐ方向における前リフレクタ３７（リフレクタ２９）の中途部、具体的には、第１反射面３９と第２反射面４０との隣接部分の外面には、Ｖ字状に内凹み形成された周回状の拡積凹部３７ｃが設けられており、該拡積凹部３７ｃにより前リフレクタ３７の外面の表面積を拡大している。半割体３７ａ・３７ｂの前端内面にはフィルタ受座４１が形成されており、フィルタ受座４１の後周面には第２通気口４２が２個ずつ形成されている。前記第２通気口４２は、一対の半割体３７ａ・３７ｂの組付け時において、前リフレクタ３７の前端寄りの壁面にほぼ全周にわたって形成されたスリット状の開口として構成される。上記の前リフレクタ３７は一対の半割体３７ａ・３７ｂで構成したが、１個の異形筒体で前リフレクタ３７を構成することもできる。この場合の前リフレクタ３７は、アルミニウムなどの金属からなるダイキャスト成形品で形成する。
【００５５】
後リフレクタ３８は、アルミニウムからなるダイキャスト成形品で形成されており、その前面にハロゲンランプ２８から放射された光および第２反射面４０で反射案内された光を、フィルタ３０（吹出口１１側）へ向かって前向きに反射案内する凹面鏡状の第３反射面４３が設けられており、その内面は研磨されて鏡面状の反射面とされている。なお、第３反射面４３は、めっき処理により鏡面状の反射面とすることもできる。
【００５６】
第３反射面４３の後側には、ハロゲンランプ２８を支持する光源支持構造が設けられている。光源支持構造は、ハロゲンランプ２８を支持する４個のボスからなる光源台４５と、光源台４５の周囲を囲む、六角筒状の導風壁４６とを備えており、先に説明したソケット３４が各光源台４５に４個のビス４７で、配線基板４９とともに締結固定されている。第３反射面４３の中央には、乾燥風をリフレクタ２９の内部に導入するための第１通気口４８が形成されている。導風壁４６とハロゲンランプ２８の間は、光源冷却通路になっており、第１通気口４８に連通している。配線基板４９は、グリップ１２の内部から風導筒７内へと至るハロゲンランプ２８へ電力を供給するリードや、ファンモータ２に電力を供給するリードをいったんまとめ、そこからリードをそれぞれに振り分けるために配設されている。また、当該配線基板４９は、第１通気口４８から漏れ出た光が吸込口１０側へ放射されるのを阻止するための遮光板として機能している。
【００５７】
前リフレクタ３７と後リフレクタ３８は、第２反射面４０と第３反射面４３が隣接する状態で接合されて締結固定される。両リフレクタ３７・３８を締結固定するために、半割体３７ａ・３７ｂの後縁５７に前係合部（突起）５１が折曲げられた状態で径方向へ突出形成されている。また、後リフレクタ３８の前端に、前リフレクタ３７の後縁５７を嵌合支持する接合溝５２と、前リフレクタ３７の後縁５７の周面を支持する接合壁５３が形成されており、さらに接合壁５３の対向２個所には、接合壁５３を切欠いて形成される凹状の後係合部５４とねじボス５５とが形成されている。一対の半割体３７ａ・３７ｂを接合し、前係合部５１と後係合部５４を凹凸係合させることにより、前リフレクタ３７と後リフレクタ３８を接合できる。また、前係合部５１の貫通孔５１ａに挿通したビス５６をねじボス５５にねじ込むことにより、前リフレクタ３７と後リフレクタ３８を一体化できる。リフレクタ２９にハロゲンランプ２８を組み付けた状態では、ハロゲンランプ２８のフィラメント中心が、第２反射面４０と第３反射面４３の隣接部分に臨んでいる（図４参照）。
【００５８】
上記のように、前リフレクタ３７と後リフレクタ３８は、前リフレクタ３７の後縁５７と接合溝５２の係合により、径方向のずれ動きが阻止されており、さらに、前係合部５１と後係合部５４の係合により、中心軸Ｐ回りの回動が阻止されている。なお、前係合部５１は半割体３７ａ・３７ｂの後縁から径方向に突出形成された突起で構成することもできる。また、前リフレクタ３７は、１個の反射筒で構成してあってもよい。その場合にはアルミニウムなどの金属を素材とするダイキャスト成形品で構成することができる。また、前係合部５１、後係合部５４、ビス５６は、対向２個所にある必要はなく、１個所のみで構成することができる。前リフレクタ３７は、３以上の分割体を接合して構成してもよい。
【００５９】
フィルタ３０は低膨張性ガラスで形成されており、フィルタ支持構造で前リフレクタ３７の前端に固定されている。フィルタ支持構造は、前リフレクタ３７に形成したフィルタ受座４１と、フィルタ受座４１と協同してフィルタ３０を前後に挟持固定する押えリング６０とからなる。押えリング６０は、フィルタ３０の前周縁を押え保持する端壁６１と、フィルタ受座４１の外周面に外嵌するリング状の周回壁６２とを備えており、この周回壁６２が後述する防眩体７５として機能する。図４に示すように、押えリング６０はビス６３で前リフレクタ３７に固定されている。フィルタ受座４１はフィルタ３０の周面および後周縁に密着されている。これによりフィルタ３０の熱を前リフレクタ３７側へ効果的に伝導させて、フィルタ３０の冷却を促進することができる。
【００６０】
ハロゲンランプ２８は衝撃に弱く、大きな外力が作用するとフィラメントが破損し、あるいは変形する。ハロゲンランプ２８に衝撃が作用するのを防ぐために、熱源ユニット４Ａは本体ケース１に対して浮動支持されている。詳しくは、図９に示すように、光源支持構造の周囲を囲む風導筒７の内面に、熱源ユニット４Ａを支持する六角枠状のばね受枠６４を固定し、後リフレクタ３８とばね受枠６４の対向面の３個所に、熱源ユニット４Ａを支持する衝撃吸収ばね６５を配置している。また、フィルタ３０の周囲を囲む風導筒７の内面に、熱源ユニット４Ａを支持する六角枠状のユニット支持枠６６を固定し、後述する防眩体７５とユニット支持枠６６の対向面の３個所に、熱源ユニット４Ａを支持する粘弾性を有するゲル状弾性体６７を配置している。
【００６１】
ばね受枠６４は、板ばねで形成した３個のばね腕７０を六角枠状に連結して構成されており、各ばね腕７０の中央には、衝撃吸収ばね６５の一端を受止めるばね座７１が形成されている。ばね座７１と対向する後リフレクタ３８の導風壁４６にも衝撃吸収ばね６５の他端を受止めるばね座７２が形成されている。ユニット支持枠６６は、板ばねで六角枠状に形成されており、その３個所にゲル状弾性体６７を保持するゲル保持部７３が形成されている。上記のように、本体ケース１で浮動支持された熱源ユニット４Ａは、ばね受枠６４と衝撃吸収ばね６５が弾性変形し、さらにユニット支持枠６６が弾性変形し、ゲル状弾性体６７が衝撃を吸収することで、衝撃を緩和吸収してハロゲンランプ２８に衝撃が作用することを防止する。従って、本体ケース１が他物に衝突して外部衝撃を受けるような場合であっても、外部衝撃の殆どを衝撃吸収ばね６５、およびゲル状弾性体６７で吸収して、熱源ユニット４Ａに衝撃が作用することを防止できる。ハロゲンランプ２８が外部衝撃や外部振動を受けて故障することを良く防止できるので、ハロゲンランプ２８の発光機能を長期にわたって適正に発揮させることができる。
【００６２】
使用時には、ハロゲンランプ２８を点灯し、送風ファン３を駆動して、フィルタ３０を通過した赤外光を髪に照射し、さらに、送風ファン３で生起された乾燥風を髪に送給して髪の乾燥を行う。乾燥風の一部は後開口５８から導風壁４６内へ導入され、光源冷却通路から第１通気口４８へ流入しながら、ハロゲンランプ２８とリフレクタ２９、およびフィルタ３０を冷却したのち、第２通気口４２からリフレクタ２９の外へ流出し、導風路９を流動する乾燥風と合流して吹出口１１から送出される。送風ファン３から送給された乾燥風の一部は、熱源ユニット４Ａの周囲の導風路９（環状風路３５）に沿って流動する間に、第２通気口４２の周囲を負圧状態にする。従って、ベンチュリー効果によって、リフレクタ２９内部の第２通気口４２の付近の空気が先の乾燥風に引寄せられて合流し、吹出口１１へと送出される。ハロゲンランプ２８、リフレクタ２９、およびフィルタ３０を冷却した乾燥風は、各機器２８・２９・３０で加温され、第２通気口４２を介して導風路９を流動する乾燥風と合流するので、吹出口１１から吹き出される乾燥風の温度は、吸込口１０における温度よりも上昇している。なお、送風ファン３から送給された乾燥風を、後開口５８から導風壁４６の内部に正圧の乾燥風として導入し、ハロゲンランプ２８とリフレクタ２９、およびフィルタ３０を冷却したのち、第２通気口４２からリフレクタ２９の外へ流出させるようにしてもよい。
【００６３】
乾燥風が第２通気口４２から流出するとき、ハロゲンランプ２８から放射された光の一部が第２通気口４２から漏れ出てしまう。このように、第２通気口４２から漏れ出た光が吹出口１１から放射されて、髪乾燥時のユーザーに眩しさを感じさせるのを防ぐために、第２通気口４２の外面に、第２通気口４２から漏れ出た光を吹出口１１から遠ざかる向きに変向案内する防眩構造を設けている。図１２において防眩構造は、第２通気口４２の開口外面を覆う筒状の防眩体７５を備えており、先に説明した周回壁６２が防眩体７５を兼ねている。
【００６４】
上記のように、第２通気口４２の開口外面を防眩体７５で覆うと、防眩体７５と第２通気口４２の間に、乾燥風の通過を許す通気通路７６が第２通気口４２に連続する状態で横臥Ｌ字状に形成される。通気通路７６の前端は、前リフレクタ３７から突接されて防眩体７５の内面に接当する通路端壁７７で塞がれているので、通気通路７６に流入した乾燥風は、後向きに反転移動する。さらに、通気通路７６から流出した乾燥風は、通路端壁７７の後端に沿って反転移動して、導風路９を流動する乾燥風と合流する。こうした乾燥風の反転移動を円滑に行うために、防眩体７５と通路端壁７７で挟まれる内隅部分に、乾燥風を後向きに反転案内する後反転案内面７８を形成し、防眩体７５の後端部に、乾燥風を前向きに反転案内する前反転案内面７９を形成している（図１２参照）。後反転案内面７８は、通路端壁７７に連続する４分円状の円弧面からなり、前反転案内面７９は半円状の円弧面からなる。
【００６５】
上記のような防眩体７５を備えたヘアードライヤーでは、リフレクタ２９の内部に導入した乾燥風でハロゲンランプ２８とリフレクタ２９とフィルタ３０を冷却しながら、乾燥風と共に第２通気口４２から漏れ出た光を防眩体７５で遮蔽して、光が導風路９に沿って吹出口１１側へ向かって放射されるのを防止できる。例えば、第２通気口４２から漏れ出た光を、防眩体７５で第２通気口４２の側へ向かって反射させ、あるいは防眩体７５で散乱させ、さらに防眩体７５で吸収し減衰させることができる。従って、リフレクタ２９の外へ漏れ出た光が吹出口１１から放射されるのを確実に防止して、髪乾燥時のユーザーに眩しさを感じさせることがないドライヤーを提供できる。
【００６６】
導風路９には、リング状に形成された徐放リング（機能成分放出体）８０が配設されている。徐放リング８０は、セラミックの微粉末を焼結して形成された連続気孔型のセラミック多孔質体で構成されており、図１１に示すように、内リング８１と、外リング（リング部）８２と、両リング８１・８２の間に設けられる一群の放射壁８３とを一体に備えている。内外のリング８１・８２と放射壁８３とで囲まれる部分は、上流側から下流側へ向かう乾燥風の通過を許す一群の通風開口（通風部）８４とされている。徐放リング８０の連続気孔部分には、ビタミン、ヒアルロン酸、コラーゲンなどの美容機能を有する美容成分（機能成分）の内、少なくとも１つの美容成分を含む美容用液（機能液）が含浸保持されている。徐放リング８０を乾燥風に曝すことにより、美容用液が徐々に気化し、美容成分（気化した美容用液）が徐々に放出される。放出された美容成分は、乾燥風に乗せて毛髪や頭皮に送給される。
【００６７】
導風路９には、送風ファン３よりも下流側において、導風路９における他の風路領域よりも風路流速が大きくなるように構成された領域である増速風路８５が設けられている。具体的には、増速風路８５における風路流速は、吹出口１１における風路流速よりも大きくなるように構成されており、本実施例では、円環風洞状の環状風路３５が増速風路８５として機能している。円環風洞状の増速風路８５（環状風路３５）は、リフレクタ２９（熱源ユニット４Ａ）の外面形状と風導筒７（本体ケース１）の内面形状とで、導風路９の上流側から下流側に行くに従って窄まるように形成されている。先の徐放リング８０は、増速風路８５（環状風路３５）において、前リフレクタ３７に周回状に設けた拡積凹部３７ｃに正対する状態で配設されている。
【００６８】
上記のように、増速風路８５として機能する環状風路３５に徐放リング８０を配設したので、流速の速い乾燥風に徐放リング８０を曝して、同リング８０に含浸された美容用液を効率よく気化させることができる。また、徐放リング８０により増速風路８５の風路断面積はさらに小さくなるので、徐放リング８０の配設位置における風路流速をさらに増速して、同リング８０に含浸された美容用液をより効率よく気化させることができる。
リフレクタ２９の外面形状と風導筒７の内面形状とで形成され、導風路９の上流側から下流側に行くに従って窄まる増速風路８５によれば、導風路９内の構造を簡素化しながらも、圧力損失を抑えつつ増速風路８５の全体で乾燥風を徐々に増速させることができる。
【００６９】
リフレクタ２９（熱源ユニット４Ａ）の周囲（環状風路３５）に徐放リング８０を配設したので、徐放リング８０をリフレクタ２９の熱で温めて、同リング８０に含浸された美容用液をより効率よく気化させることができる。また、環状風路３５に配設された徐放リング８０によれば、同リング８０が熱源ユニット４Ａの前方から照射されるハロゲンランプ２８の光に直接曝されることがないので、当該光によって徐放リング８０が加熱されることがなく、必要以上に美容用液が気化されるのを防止できる。
熱源ユニット４Ａが増速風路８５を構成する部材を兼ねるので、ドライヤーの構造を簡素化できる。
【００７０】
増速風路８５として機能する環状風路３５は、そもそも風路断面積が小さく形成されており、該増速風路８５に徐放リング８０を配設すると、同リング８０の配設部分では、より風路断面積が小さくなり通気抵抗が増大するのを避けられない。そこで本実施例では、前リフレクタ３７の拡積凹部３７ｃに正対する状態で徐放リング８０を配設することで、徐放リング８０の配設位置における風路断面積が必要以上に小さくなるのを拡積凹部３７ｃで緩和して、徐放リング８０に起因する通気抵抗の増大を回避でき、吹出口１１から吹き出される乾燥風の勢いが低下するのを防止できる。また、拡積凹部３７ｃにより拡大されたリフレクタ２９の外表面からより多くの熱が放射されるので、徐放リング８０を効果的に温めて機能液の気化をより促進できる。
【００７１】
リング状に形成された徐放リング８０においては、体積が同一の円柱状の機能成分放出体に比べて、その表面積を大きくできる。そのうえで徐放リング８０を円環風洞状に形成された増速風路８５に設けることにより、徐放リング８０と増速風路８５を流れる乾燥風との接触機会を増加させることができ、乾燥風に対して美容成分を的確に放出することができる。
また、リング状の徐放リング８０に、送風ファン３で生起された乾燥風の方向に沿う通風開口８４を形成すると、徐放リング８０と増速風路８５を流れる乾燥風との接触機会をより増加させることができ、乾燥風に対して充分な量の美容成分を放出することができる。
【００７２】
先のユニット支持枠６６と、徐放リング８０と、ばね受枠６４は、それぞれ風導筒７の半割体７ａ・７ｂの対向面の前後３個所に設けた前挟持部８６と、中挟持部８７と、後挟持部８８で強固に挟持固定されている。徐放リング８０は、風導筒７の内面との間にわずかな隙間を設けた状態で固定されており、徐放リング８０の表面の略全体が増速風路８５を流れる乾燥風に曝される。
【００７３】
徐放リング８０は上記形態以外に、内リング８１あるいは外リング（リング部）８２のいずれか一方と、複数の放射壁８３とで構成された形態、あるいはさらに放射壁８３を省略してリング部８２のみの形態を採ることができる。前者の形態の場合には、例えば、徐放リング８０は、内リング８１を省略して厚みを大きくしたリング部８２と、リング部８２から内向きに突設される複数の放射壁８３とを備えるものとすることができる。また、徐放リング８０は、リング部８２と、リング部８２から外向きに突設される複数の放射壁８３とを備えるもの、あるいはリング部８２と、リング部８２から外向き、および内向きに突設される複数の放射壁８３とを備えるものとすることもできる。
【００７４】
また、徐放リング８０は、１個の連続したリング状に形成する必要はなく、複数の円弧状部材をリング状に連結して徐放リング８０とすることもできる。例えば、上記各形態の徐放リング８０は、半円弧状の２個の分割体に分割されたものとすることができる。こうした徐放リング８０によれば、半割体７ａ・７ｂの中挟持部８７に各分割体をそれぞれ装着したのち風導筒７を接合できるので、ヘアードライヤーの組付け性を向上できる。また、半割体７ａ・７ｂの中挟持部８７を省略して、風洞筒７の半割体７ａ・７ｂの内面に貼着した両面テープなどの接着体で徐放リング８０を支持固定することもできる。なお、徐放リング８０は３以上の円弧状の分割体で構成することもできる。このように、徐放リング８０を複数の分割体で構成した場合、隣り合う分割体の端部どうしは、密着するように配置してもよいし、隙間を設けて配置してもよい。
【００７５】
美容成分に加えマイナスイオンを乾燥風に乗せて毛髪や頭皮へ送給するために、吹出口１１に臨む風導筒７の内部にイオン放出構造を設けている。イオン放出構造は電極ホルダー９１と、電極ホルダー９１で支持される３個の中央電極９２と、中央電極９２の周囲を囲む筒壁９３に固定される周囲電極９４とを備えている。電極ホルダー９１は風導筒７に設けた一対の挟持壁９５で挟持固定されている。補助吹出ケース６には赤外光および乾燥風を送出する通口９６が形成され、さらに中央電極９２と正対するケース下部の中央にイオン通口９７が形成されている。図３において、熱源ユニット４Ａより前側の風導筒７の上壁部分には、温度ヒューズ９８が配置されている。
【００７６】
（実施例２）  図１３および図１４に、本発明に係るドライヤーをヘアードライヤーに適用した実施例２を示す。本実施例では、導風路９に配置される内部構造の構成などが実施例１と異なる。詳しくは、リフレクタ２９は、前方に行くに従って拡径する椀状に構成されて、その内面が第１反射面３９とされており、円盤状に形成されたソケット３４のボス部１０１に差込み固定されている。これらリフレクタ２９およびソケット３４とファンモータ２などは、導風路９に十字状に配置固定される支持枠１０２で支持固定されている。ハロゲンランプ２８のバルブ３１は、楕円球状に形成されている。フィルタ３０は、一対の半割体で構成される保持リング１０３で支持されており、該保持リング１０３は、リフレクタ２９の前端に密着するように支持枠１０２と徐放リング８０とで支持固定されている。保持リング１０３はリフレクタ２９の一部を構成しており、ハロゲンランプ２８、リフレクタ２９、ソケット３４および保持リング１０３が本実施例の熱源ユニット４Ａを構成している。本体ケース１は、外装筒８を省略して風導筒７のみで構成されている。
【００７７】
増速風路８５として機能する環状風路３５は、リフレクタ２９および保持リング１０３（熱源ユニット４Ａ）と、風導筒７とで先窄まり状の円環風洞状に形成されている。徐放リング８０は、保持リング１０３の前端外面に臨むように配設されており、リング部８２と、リング部８２から内向きに突設される１２個の放射壁８３とで構成されている。通風開口８４は、リング部８２と隣り合う放射壁８３・８３とで囲まれるように形成されている。他は実施例１と同じであるので、同じ部材に同じ符号を付してその説明を省略する。以下の実施例においても同様とする。
【００７８】
上記のように、増速風路８５として機能する環状風路３５に徐放リング８０を配設したので、流速の速い乾燥風に徐放リング８０を曝して、同リング８０に含浸された美容用液を効率よく気化させることができる。また、徐放リング８０により増速風路８５の風路断面積はさらに小さくなるので、徐放リング８０の配設位置における風路流速をさらに増速して、同リング８０に含浸された美容用液をより効率よく気化させることができる。
先窄まり状の増速風路８５において、より風路流速が大きくなる熱源ユニット４Ａの前端に臨む部分に徐放リング８０を配設したので、美容用液の気化をより促進させることができる。
また、このようなドライヤーによれば、リフレクタ２９を簡略化して形成容易な椀状に構成し、熱源ユニット４Ａを支持枠１０２で支持するので、導風路９内の構造を簡素化できる。
【００７９】
（実施例３）  図１５および図１６に、本発明に係るドライヤーをヘアードライヤーに適用した実施例３を示す。本実施例では、実施例２のハロゲンランプからなる発光体２８が赤色光を放射する赤外線ランプに変更されており、これに伴いフィルタ３０が省略されている。リフレクタ２９の前端は、吹出口１１に向かって丸筒状に延長されている。増速風路８５として機能する環状風路３５は、リフレクタ２９（熱源ユニット４Ａ）と、風導筒７とで先窄まり状の円環風洞状に形成されている。徐放リング８０は、リフレクタ２９の前端外面に臨むように配設されており、実施例１と同様に、内外のリング８１・８２と、両リング８１・８２の間に設けられる一群の放射壁８３とを一体に備えている。リフレクタ２９の前端は、徐放リング８０で支持固定されている。
【００８０】
上記のように、増速風路８５として機能する環状風路３５に徐放リング８０を配設したので、流速の速い乾燥風に徐放リング８０を曝して、同リング８０に含浸された美容用液を効率よく気化させることができる。また、徐放リング８０により増速風路８５の風路断面積はさらに小さくなるので、徐放リング８０の配設位置における風路流速をさらに増速して、同リング８０に含浸された美容用液をより効率よく気化させることができる。
先窄まり状の増速風路８５において、より風路流速が大きくなる熱源ユニット４Ａの前端に臨む部分に徐放リング８０を配設したので、美容用液の気化をより促進させることができる。
また、発光体２８は、ハロゲンランプに限らず赤外線ランプであってもよく、赤外線ランプのような発光輝度の低い発光体２８を使用することでフィルタ３０を省略でき、導風路９内の構造を簡素化できる。
【００８１】
（実施例４）  図１７および図１８に、本発明に係るドライヤーをヘアードライヤーに適用した実施例４を示す。本実施例では、実施例３の赤外線ランプからなる発光体２８が赤外線を放射するリング状のセラミックヒーターに変更されており、リフレクタ２９は、扁平椀状に形成されてソケット３４の前面に固定されている。機能成分放出体８０は、ブロック状に形成した複数の徐放ブロック１０６で構成されており、各徐放ブロック１０６をリフレクタ２９の周囲に等間隔置きに配置することにより、機能成分放出体８０は断続リング状に形成されている。本実施例の通風部８４は隣り合う徐放ブロック１０６どうしの間の領域が通風部８４として構成されている。各徐放ブロック１０６は、リフレクタ２９の外面および風導筒７の内面に形成した固定リブ１０７で支持固定されている。このように機能成分放出体８０は、複数の徐放ブロック１０６で構成して断続リング状に形成することもでき、上記各実施例の無端リング状の機能成分放出体（徐放リング）８０に比べて容易に形成できる。
【００８２】
上記のように、増速風路８５として機能する環状風路３５に徐放ブロック１０６の一群（機能成分放出体８０）を配設したので、流速の速い乾燥風に徐放ブロック１０６を曝して、同ブロック８０に含浸された美容用液を効率よく気化させることができる。また、徐放ブロック１０６により増速風路８５の風路断面積はさらに小さくなるので、徐放ブロック１０６の配設位置における風路流速をさらに増速して、同ブロック１０６に含浸された美容用液をより効率よく気化させることができる。
先窄まり状の増速風路８５において、風路上流端側よりも風路流速が大きくなるリフレクタ２９の前後中途部に臨む部分に徐放ブロック１０６の一群を配設したので、美容用液の気化をより促進させることができる。
セラミックヒーター２８が放射する可視光の輝度は低いので、フィルタ３０を省略できる点で導風路９の内部構造の簡素化を図ることができ、また、髪乾燥時のユーザーに眩しさを感じさせることがないドライヤーとすることができる。
【００８３】
（実施例５）  図１９および図２０に、本発明に係るドライヤーをヘアードライヤーに適用した実施例５を示す。本実施例では、実施例２の支持枠１０２が連続気孔型のセラミック多孔質体で形成されており、支持枠１０２が機能成分放出体８０として構成されている。支持枠１０２は、導風路９において送風ファン３の出口部分から第３グリル２５にかけて設けられている。各支持枠１０２は、保持リング１０３の外面および風導筒７の内面に形成した固定リブ１０７で支持固定されている。本実施例のように、機能成分放出体８０を兼ねる支持枠１０２でリフレクタ２９、ハロゲンランプ２８およびソケット３４などの熱源ユニット４Ａを支持すると、ハロゲンランプ（発光体）２８およびリフレクタ２９などを導風路９内で支持するための専用の支持構造を省略して、導風路９内の構造を簡略化できる。また、送風ファン３を回転駆動するファンモータ２も支持枠１０２を兼ねる機能成分放出体８０で支持するので、ファンモータ２を導風路９内で支持するための専用の支持構造を省略して、導風路９内の構造をより簡略化できる。なお、本実施例では、導風筒９の前後方向において支持枠１０２が設けられた領域における乾燥風の流動空間が通風部８４とされている。
【００８４】
上記のように、送風ファン３の出口部分から増速風路８５として機能する環状風路３５にかけて機能成分放出体８０を構成する支持枠１０２を配設したので、流速の速い乾燥風に機能成分放出体８０を曝して、同放出体８０に含浸された美容用液を効率よく気化させることができる。また、機能成分放出体８０により増速風路８５の風路断面積はさらに小さくなるので、機能成分放出体８０の配設位置における風路流速をさらに増速して、同放出体８０に含浸された美容用液をより効率よく気化させることができる。
送風ファン３より下流側の導風路９の略全体にわたって機能成分放出体８０を配設したので、美容用液の気化をより促進させることができる。
【００８５】
（実施例６）  図２１に、本発明に係るドライヤーをヘアードライヤーに適用した実施例６を示す。本実施例では、発光体２８およびリフレクタ２９の構造が実施例２と異なる。ハロゲンランプからなる発光体２８が赤外線を放射するリング状のセラミックヒーターに変更されており、該セラミックヒーター２８は導風路９の上側で支持枠１０２に支持されたソケット３４に接続されている。リフレクタ２９は、内外に配置される椀状の外リフレクタ１１０と、漏斗状の内リフレクタ１１１とが一体に形成されており、その内面の第１反射面と正対するようにセラミックヒーター２８が配置されている。導風路９の吹出口１１寄りの部分は、内リフレクタ１１１の内周壁１１２の内方を除いて塞がれており、内周壁１１２の内方に増速風路８５が形成されており、内周壁１１２に内嵌する状態でリング部８２からなる機能成分放出体８０が配置されている。このように、内リフレクタ１１１の内周壁１１２で増速風路８５を形成すると、導風路９の口径を絞って、吹出口１１から吹き出される乾燥風を収束させて、乾燥風の指向性を向上できる。
【００８６】
（実施例７）  図２２に、本発明に係るドライヤーをヘアードライヤーに適用した実施例７を示す。本実施例では、機能成分放出体８０の構成が実施例２と異なる。機能成分放出体８０は、リング状に形成された増速リング１１５で構成されており、該増速リング１１５は、そのリング壁の厚み寸法が一定の先窄まり円筒状に形成されて、導風路９の上流側から下流側に行くに従って内周面が窄まっている。また、当該内周面は、内凸湾曲状に形成されている。増速リング１１５は、送風ファン３よりも下流側の導風路９において、リフレクタ２９の後側と重畳するように同心円状に設けられており、同リング１１５の後縁部の外周面は風導筒７の内面に密着している。また、増速リング１１５は、支持枠１０２で支持されており、該支持枠１０２は増速リング１１５を支持する部分が切欠かれている。増速リング１１５とリフレクタ２９とで増速風路８５が形成されており、該増速風路８５に機能成分放出体８０が臨んでいる。本実施例における機能成分放出体８０は、増速風路８５を形成するために導風路９内に配設された増速構造４Ｂ（風路内構造体４）であり、導風路９の風路断面積を小さくして、乾燥風の流速を増速する。
【００８７】
上記のように、導風路９の風路断面積を小さくする乾燥風を積極的に増速する増速構造４Ｂ（風路内構造体４）を配設することで、増速風路８５が形成されるように構成すると、乾燥風を増速する専用部材からなる増速構造４Ｂで増速風路８５を形成するので、増速風路８５の乾燥風を、例えば機能成分放出体８０に含浸された美容成分を含む機能液が最も効率よく気化する流速に適正に設定できる。また、導風路９に増速構造４Ｂを配設するだけで増速風路８５を形成できるので、ドライヤーの構造を簡素化できる。
また、増速構造４Ｂは、送風ファン３よりも下流側の導風路９に設け、該増速構造４Ｂを増速リング１１５で構成すると、増速リング１１５の内部を通過する乾燥風を、簡単な構成でしかも圧力損失を抑えつつ増速することができる。
【００８８】
本実施例では、熱源ユニット４Ａと風導筒７とで増速風路８５として機能する円環風洞状の環状風路３５が形成され、該環状風路３５に機能成分放出体８０（増速リング１１５）が配置されている構成として見ることもできる。この場合には、増速リング１１５の内周面で囲まれる空間が通風部８４となっている。このような構成によれば、増速風路８５に機能成分放出体８０を構成する増速リング１１５を配設したので、流速の速い乾燥風に増速リング１１５を曝して、同リング１１５に含浸された美容用液を効率よく気化させることができる。また、増速リング１１５により増速風路８５の風路断面積はさらに小さくなるので、増速リング１１５の配設位置における風路流速をさらに増速して、同リング１１５に含浸された美容用液をより効率よく気化させることができる。
先窄まり状の増速風路８５において、リフレクタ２９の風路上流側半部に臨む部分に増速リング１１５を配設したので、増速風路８５の上流側の風路流速を大きくして美容用液の気化をより促進させることができる。
【００８９】
（実施例８）  図２３に、本発明に係るドライヤーをヘアードライヤーに適用した実施例７を示す。本実施例では、増速リング１１５の配設位置が実施例７と異なる。増速リング１１５は、送風ファン３よりも上流側の導風路９に、同ファン３に隣接する状態で設けられており、同リング１１５の後縁部の外周面は風導筒７の内面に密着している。増速リング１１５の全体形状はベルマウス状に形成されている。このような増速リング１１５で構成した増速構造４Ｂによれば、吸込口１０から導風路９に吸い込まれた空気を整流し増速したのち、当該空気を送風ファン３で加圧送給することができる。これにより、増速リング１１５がない場合に比べて、送風ファン３で生起される乾燥風の流速を向上させることができ、吹出口１１から吹き出される乾燥風の直進性を向上できる。また、送風ファン３による加圧送給時に発生する騒音を低減することができる。
【００９０】
上記の実施例７および８のように、機能成分放出体８０で増速リング１１５を構成すると、増速風路８５に機能成分放出体８０を簡便に設けることができる。また、増速リング１１５が機能成分放出体８０を兼ねるので、導風路９の内部構造を簡素化できるので、ドライヤーの全体コストの低減を図ることができる。
【００９１】
（実施例９）  図２４に、本発明に係るドライヤーをヘアードライヤーに適用した実施例９を示す。本実施例では、リング状（連続リング状）に形成された徐放リング８０を、リフレクタ２９の前方に配設した点が実施例３と異なる。徐放リング８０の開口部１１８の直径寸法は、リフレクタ２９前端の内径寸法と同一に形成されており、リフレクタ２９と徐放リング８０とは、隙間を介して前後に正対している。徐放リング８０の外周面は風導筒７の内面に密着しており、リフレクタ２９部分を通過した乾燥風は、徐放リング８０の後端面で変向案内され、リフレクタ２９と徐放リング８０との隙間を通って開口部１１８を通過する。当該開口部１１８が、本実施例の増速風路８５を形成しており、増速風路８５に徐放リング（機能成分放出体）８０が臨んでいる。本実施例では、乾燥風を徐放リング８０に衝突させて変向案内するので、乾燥風と徐放リング８０との接触機会を増加させ、美容成分を含んだ機能液を効率よく気化させることができる。また、先の実施例６と同様に、導風路９の口径を絞って、吹出口１１から吹き出される乾燥風を収束させて、乾燥風の指向性を向上できる。
【００９２】
（実施例１０）  図２５および図２６に、本発明に係るドライヤーをヘアードライヤーに適用した実施例１０を示す。本実施例では、熱源ユニット４Ａの構成が実施例２と異なっており、熱源ユニット４Ａは、ハロゲンランプ２８、リフレクタ２９、フィルタ３０およびソケット３４と、前記各部材を収容する一対の半割体で構成される内ケース１２１とを備えている。内ケース１２１は前面に開口を有する外形が一定の円筒状に形成されている。ファンモータ２も内ケース１２１の内部に収容されており、内ケース１２１に収容されるフィルタ３０を除く各部材は、該内ケース１２１の内面に十字状に設けられた支持壁１２２で支持されており、フィルタ３０は内ケース１２１の内面で支持されている。風導筒７の内径寸法は一定に形成されており、風導筒７と内ケース１２１とで、送風ファン３よりも下流側の導風路９に、増速風路８５として機能する円環風洞状の環状風路３５が形成されている。環状風路３５には機能成分放出体８０が配設されており、内ケース１２１は該機能成分放出体８０で導風路９内に支持固定されている。機能成分放出体８０には、上流側から下流側へ向かう乾燥風の通過を許す通風部８４が設けられている。
【００９３】
具体的には、機能成分放出体８０は、肉厚が一定の円リング状に形成されており、当該肉厚部分に、送風ファン３で生起された乾燥風の方向に沿う複数の通風部８４が形成されている。各通風部８４は、機能成分放出体８０の肉厚部を貫通するように形成される、導風路９の上流側の内径寸法が、導風路９の下流側の内径寸法よりも大きな、先窄まり状の通風孔１２５で構成されている。通風孔１２５は、周方向に等間隔置きに形成されており、合計１２個の通風孔１２５が形成されている。通風部８４における風路断面積は導風路９の上流側から下流側に向かって徐々に小さくなっている。
【００９４】
上記のように、増速風路８５として機能する環状風路３５に徐放リング８０を配設したので、流速の速い乾燥風に徐放リング８０を曝して、同リング８０に含浸された美容用液を効率よく気化させることができる。また、機能成分放出体８０に形成した通風孔１２５により、機能成分放出体８０の表面積を拡大して同放出体８０と流速の速い乾燥風との接触機会をより増加させることができる。
先窄まり状の通風孔１２５からなる通風部８４によれば、通風部８４の入口側よりも出口側の風路流速を大きくでき、機能成分放出体８０における通風部８４の出口側部分で、機能液をより効率よく気化させることができる。また、圧力損失を抑えつつ通風部８４を通過する乾燥風を徐々に増速することができるので、吹出口１１から吹き出される乾燥風の流速が通風部８４における圧力損失に起因して小さくなるのを抑制できる。
【００９５】
（実施例１１）  図２７および図２８に、本発明に係るドライヤーをヘアードライヤーに適用した実施例１１を示す。本実施例では、機能成分放出体８０の構成が実施例１０と異なる。機能成分放出体８０は、複数の分割リング体１２８で構成された断続リング状に形成されており、機能成分放出体８０には、送風ファン３で生起された乾燥風の方向に沿う通風部８４が形成されている。通風部８４は、隣り合う分割リング体１２８・１２８の間に形成される、導風路９の上流側の入口開口の面積が、導風路９の下流側の出口開口の面積よりも大きな、先窄まり状の通風スリット１２９で構成されている。各分割リング体１２８は、後側の周方向の寸法が、前側の周方向の寸法よりも小さな断面台形状に形成されている。環状風路３５には合計８個の分割リング体１２８が周方向に等間隔置きに配設されている。通風部８４における風路断面積は導風路９の上流側から下流側に向かって徐々に小さくなっている。
【００９６】
上記のように、増速風路８５として機能する環状風路３５に徐放リング８０を配設したので、流速の速い乾燥風に徐放リング８０を曝して、同リング８０に含浸された美容用液を効率よく気化させることができる。また、機能成分放出体８０に形成した通風スリット１２９により、機能成分放出体８０の表面積を拡大して同放出体８０と流速の速い乾燥風との接触機会をより増加させることができる。
先窄まり状の通風スリット１２９からなる通風部８４によれば、通風部８４の入口側よりも出口側の風路流速を大きくでき、機能成分放出体８０における通風部８４の出口側部分で、機能液をより効率よく気化させることができる。また、圧力損失を抑えつつ通風部８４を通過する乾燥風を徐々に増速することができるので、吹出口１１から吹き出される乾燥風の流速が通風部８４における圧力損失に起因して小さくなるのを抑制できる。
【００９７】
（実施例１２）  図２９に、本発明に係るドライヤーをヘアードライヤーに適用した実施例１２を示す。本実施例では、実施例１１と同様に、機能成分放出体８０の構成が実施例１０と異なる。機能成分放出体８０は、導風路９の上流側の肉厚が、導風路９の下流側の肉厚よりも小さな丸筒状に形成されて、その内周面がテーパー面とされており、外周面は、風導筒７の内面に密着している。機能成分放出体８０と環状風路３５の内側周面との間には、送風ファン３で生起された乾燥風の方向に沿う通風部８４が形成されている。通風部８４は、環状風路３５に周回状に形成される先窄まり状の絞り風路１３２で構成されている。内ケース１２１は、機能成分放出体８０の内面の４か所に放射状に設けた支持リブ１３３で支持されている。通風部８４における風路断面積は導風路９の上流側から下流側に向かって徐々に小さくなっている。
【００９８】
上記のように、増速風路８５として機能する環状風路３５に徐放リング８０を配設したので、流速の速い乾燥風に徐放リング８０を曝して、同リング８０に含浸された美容用液を効率よく気化させることができる。また、機能成分放出体８０に形成した通風スリット１２９により、機能成分放出体８０の表面積を拡大して同放出体８０と流速の速い乾燥風との接触機会をより増加させることができる。
先窄まり状の絞り風路１３２からなる通風部８４によれば、通風部８４の入口側よりも出口側の風路流速を大きくでき、機能成分放出体８０における通風部８４の出口側部分で、機能液をより効率よく気化させることができる。また、圧力損失を抑えつつ通風部８４を通過する乾燥風を徐々に増速することができるので、吹出口１１から吹き出される乾燥風の流速が通風部８４における圧力損失に起因して小さくなるのを抑制できる。
【００９９】
上記の実施例１０〜実施例１２では、風洞筒７と内ケース１２１との各壁が平行になるように構成して、増速風路８５として機能する環状風路３５をストレート状に形成した。このように環状風路３５は先窄まり状に形成する必要はなく、導風路９の風路断面積を加熱ユニット４Ａで減じて、吹出口１１部分より大きな風路流速となるように増速風路８５として機能する環状風路３５を形成すればよい。これにより、機能成分放出体８０と流速の速い乾燥風との接触機会を増加させて、乾燥風に対して美容成分を的確に放出することができる。
【０１００】
上記の実施例２〜実施例１２に係るヘアードライヤーにおいても実施例１と同様に、第１通気口４８および第２通気口４２を設けて、ハロゲンランプ２８、リフレクタ２９、およびフィルタ３０を乾燥風で冷却する形態を採ることができる。この場合には、第２通気口４２の開口外面を防眩体７５で覆い、熱源ユニット４Ａの後側に配線基板４９を設けることが好ましい。また、発光体２８にハロゲンランプを使用した各実施例においては実施例１と同様に、熱源ユニット４Ａは、衝撃吸収ばね６５およびゲル保持部７３などを介して本体ケース１で浮動支持することが好ましい。導風路９にイオン放出構造を設けることもできる。発光体２８は、白熱ランプ、キセノンランプ、メタルハライドランプ等の高輝度ランプを採用することもできる。
【０１０１】
（実施例１３）  図３０に、本発明に係るドライヤーをヘアードライヤーに適用した実施例１３を示す。本実施例では、熱源ユニット４Ａ（風路内構造体４）の構成が実施例１と異なる。熱源ユニット４Ａは、電熱線からなるヒーター１３６と、該ヒーター１３６を支持する複数のヒーター支持板１３７と、該ヒーター支持板１３７が外面に固定される円筒状の支持ケース１３８とを備えている。ヒーター１３６は、導風路９に十字状に配置固定されるヒーター支持板１３７でらせん状に支持されており、らせん状のヒーター１３６の内側に支持ケース１３８が配置されている。ヒーター支持板１３７は絶縁性を有するマイカ板からなる。支持ケース１３８は、前面に開口を有する段付き円筒状に形成されており、後側の小径筒部１３９にはファンモータ２が収容固定されている。また、前側の大径筒部１４０には、２組のイオン放出構造とトランス１５が設けられている。
【０１０２】
本実施例では、先窄まり円筒状の風導筒７とストレート円筒状の支持ケース１３８の大径筒部１４０とで環状風路３５が形成されており、増速風路８５として機能する環状風路３５は、先窄まり状の円環風洞状に形成されている。環状風路３５には、外リング（リング部）８２と放射壁８３とで構成される徐放リング８０が配設されており、該徐放リング８０は、ヒーター１３６より下流側の環状風路３５に配設されている。徐放リング８０に臨む風導筒７の上下には、それぞれ給液口１４１が設けられており、本体ケース１の外部から美容用液を徐放リング８０へ補充できるようになっている。美容用液は、ノズル１４２がストロー状の補充容器１４３に収容されており、ノズル１４２を給液口１４１に差込み補充容器１４３を圧縮することで補充できる。給液口１４１には、補充時に美容用液が漏れるのを防止するためにダックビル弁１４４が装着されている。
【０１０３】
上記のような構成によれば、支持ケース１３８と風導筒７（本体ケース１）との構造を利用して、支持ケース１３８の外面と風導筒７の内面との間に環状風路３５を形成できるので、導風路９内の構造を簡略化できる。
また、ヒーター１３６より下流側の環状風路３５に、徐放リング（機能成分放出体）８０を配設すると、徐放リング８０をヒーター１３６で加温された乾燥風で温めて、美容用液の気化を効果的に促進できる。
なお、環状風路３５は、風導筒７をストレート円筒状とし、大径筒部１４０を先広がり円筒状として、先窄まり状の円環風路としてもよいし、風導筒７を先窄まり円筒状とし、大径筒部１４０を先広がり円筒状として、先窄まり状の円環風路としてもよい。
【０１０４】
上記の実施例２〜１３に係るヘアードライヤーの本体ケース１は、実施例１と同様に風導筒７と外装筒８とで構成することができ、第１グリル２３や吹出ケース５および吹出補助ケース６を本体ケース１に設けてもよい。
【０１０５】
以上のように、上記各実施例のヘアードライヤーにおいては、中空筒状の導風路９の前後の端部をそれぞれ吸込口１０および吹出口１１として構成し、該導風路９内に吸込口１０から吹出口１１に向う乾燥風を生起させる送風ファン３を設けたので、吸込口１０から吸い込まれた空気の全部が吹出口１１から吹き出されるので、乾燥風を分散し難い１つの収束した流れとして乾燥対象へと送給できる。そのうえで、上記各実施例においては、導風路９に、美容成分を含む美容用液が含浸保持された連続気孔型のセラミック多孔質体からなる機能成分放出体（徐放リング）８０（増速リング１１５）を設けたので、同放出体８０が乾燥風に曝されることで気化された美容用液を、分散し難い乾燥風に含ませることができる。従って、吹出口から吹き出される乾燥風に乗せて美容成分を乾燥対象へと的確に送給できる。
【０１０６】
また、増速風路８５として機能する環状風路３５に機能成分放出体８０を配設したので、流速の速い乾燥風に機能成分放出体８０（増速リング１１５）を曝して、同放出体８０に含浸された美容用液を効率よく気化させて、乾燥風に対して美容成分を充分に放出させることができる。
【０１０７】
上記の各実施例では、セラミックを素材として機能成分放出体８０を構成する連続気孔型の多孔質体を形成したが、金属、あるいは合成樹脂を素材として連続気孔型の多孔質体を形成することができる。金属を素材とする場合には金属微粉末を焼結し、合成樹脂を素材とする場合には溶融樹脂を発泡固化することで連続気孔型の多孔質体を形成できる。その他連続気孔型の多孔質体としては、シリカゲル、活性炭、軽石、ゼオライト、珪藻土、ポーラスゴム、樹脂スポンジ、圧縮不織布などを挙げることができ、これらを素材をとして機能成分放出体８０を形成することができる。機能成分放出体８０に含浸保持される機能液に含まれる機能成分は、美容機能以外に、除菌機能、消臭機能、あるいは芳香機能を有する機能成分を挙げることができ、これら機能成分を単独あるいは組み合わせた機能液を採用することもできる。
【０１０８】
空気の吸込口１０は、上記の各実施例のように本体ケース１の後端背面に形成される形態に加え、本体ケース１の後端背面は塞がれ同ケース１の後端周側面に形成される形態であってもよい。本発明に係る導風路９の一端（後端）に設けられる吸込口１０とは、これら形態を含む意味である。本体ケース１の後端周側面に吸込口１０を設けた場合には、送風ファン３は、プロペラ型ないしインペラ型の軸流ファン、求心ファンなどで構成する。リフレクタ２９の形状は、乾燥対象への赤外光の放射態様により適宜変更することができる。
本発明に係るドライヤーは、毛髪を乾燥対象とするヘアードライヤーに限らず、手足、爪などの身体部位、あるいは人用に限らず犬や猫など動物用のドライヤーにも適用でき、また、衣類用の衣類乾燥器にも適用できる。さらに、本発明のドライヤーは、乾燥対象に対して光を照射する機器であれば、例えば、毛髪を乾燥しながらカール状、あるいはストレート状に整形することができる、ドライヤーの機能を備えたヘアーアイロンにも適用できる。
【０１０９】
上記実施例１〜実施例７および実施例１０〜実施例１３のドライヤーは、以下に示す形態で実施することができる。
【０１１０】
中空筒状の導風路９を有する本体ケース１と、導風路９の一端に設けられる吸込口１０と、導風路９の他端に設けられる吹出口１１と、導風路９内に設けられて、吸込口１０から吹出口１１に向う乾燥風を生起させる送風ファン３と、送風ファン３より下流側の導風路９内に設けられて、乾燥対象に熱を付与する熱付与構造４Ａとを備えており、熱付与構造４Ａは、赤外線を含む光を放射する発光体２８と、発光体２８が放射する前記光を吹出口１１側に向かって反射するリフレクタ２９とを含み、熱付与構造４Ａが配設された部位における導風路９は円環風洞状に構成されており、該円環風洞状の導風路９に、機能成分を含む機能液が含浸保持された連続気孔型の多孔質体からなる機能成分放出体８０が設けられており、該機能成分放出体８０が、径方向においてリフレクタ２９の外面と正対するように配設されているドライヤー。
【０１１１】
上記のドライヤーによれば、発光体２８が放射する光に含まれる赤外線で乾燥対象を加熱し乾燥を促進させるので、例えば従来公知のニクロム線ヒーターからなる熱源を備え、加温した乾燥風で乾燥対象を加熱して乾燥を促進させるヘアードライヤーに比べて、単位時間当たりの消費電力を低減できる。加えて、機能成分放出体８０を発光体２８で加熱されたリフレクタ２９の外表面から放射される熱で温めて、同放出体８０が導風路９の乾燥風に曝されることによる機能液の気化を促進でき、乾燥風に対して機能成分を充分に放出させることができる。これにより、乾燥対象に向かう１つの収束した流れの乾燥風に乗せて多量の機能成分を送給できるドライヤーを得ることができる。なお、機能成分放出体８０は、リフレクタ２９の外面に接触しない状態で配設することが好ましい。これは、リフレクタ２９の外面に機能成分放出体８０が接触していると、同放出体８０が必要以上に温められ機能液が無駄に気化されるからである。
【０１１２】
導風路９の中心軸線方向におけるリフレクタ２９の中途部に、該リフレクタ２９の外面の表面積を拡大する、内凹み形成された周回状の拡積凹部３７ｃが設けられており、拡積凹部３７ｃに正対する状態で機能成分放出体８０が配設されているドライヤー。
こうしたリフレクタ２９を備えるドライヤーによれば、拡積凹部３７ｃにより拡大されたリフレクタ２９の外表面からより多くの熱が放射されるので、機能成分放出体８０を効果的に温めて機能液の気化をより促進できる。
【符号の説明】
【０１１３】
１  本体ケース
２  ファンモータ
３  送風ファン
４  風路内構造体
４Ａ  熱付与構造（熱源ユニット）
４Ｂ  増速構造
９  導風路
１０  吸込口
１１  吹出口
２８  発光体（ハロゲンランプ）
２９  リフレクタ
３５  環状風路
３７ｃ  拡積凹部
８０  機能成分放出体（徐放リング）
８４  通風部（通風開口）
８５  増速風路
１１５  増速リング
１２５  通風孔
１２８  分割リング体
１２９  通風スリット
１３２  絞り風路
１３６  ヒーター
１３７  ヒーター支持板
１３８  支持ケース
【図１】
2020054494.tif 000003
【図２】
2020054494.tif 000004
【図３】
2020054494.tif 000005
【図４】
2020054494.tif 000006
【図５】
2020054494.tif 000007
【図６】
2020054494.tif 000008
【図７】
2020054494.tif 000009
【図８】
2020054494.tif 000010
【図９】
2020054494.tif 000011
【図１０】
2020054494.tif 000012
【図１１】
2020054494.tif 000013
【図１２】
2020054494.tif 000014
【図１３】
2020054494.tif 000015
【図１４】
2020054494.tif 000016
【図１５】
2020054494.tif 000017
【図１６】
2020054494.tif 000018
【図１７】
2020054494.tif 000019
【図１８】
2020054494.tif 000020
【図１９】
2020054494.tif 000021
【図２０】
2020054494.tif 000022
【図２１】
2020054494.tif 000023
【図２２】
2020054494.tif 000024
【図２３】
2020054494.tif 000025
【図２４】
2020054494.tif 000026
【図２５】
2020054494.tif 000027
【図２６】
2020054494.tif 000028
【図２７】
2020054494.tif 000029
【図２８】
2020054494.tif 000030
【図２９】
2020054494.tif 000031
【図３０】
2020054494.tif 000032